(57)【要約】【課題】  光センサのダイナミックレンジによる制約に影響されずに、直線性の良い領域を用いて精度良くピックアップの光出力を計測する。【解決手段】  光ディスク装置のピックアップからの光出力を計測する光出力計測装置であって、ディスクに対して光を照射する機能を有するピックアップと、与えられる駆動信号に応じた透過率によって前記ピックアップからの光を減衰させる液晶フィルタと、前記液晶フィルタを通過した前記ピックアップからの光出力を受ける光センサと、前記ピックアップの光出力の強度および波長と、前記光センサの波長感度特性とに応じて、前記液晶フィルタの透過率を制御する駆動信号を生成し、前記液晶フィルタの透過率を可変に制御する制御手段と、を備える。【選択図】  図１
2006309886.tif 000002
【特許請求の範囲】
【請求項１】
光ディスク装置のピックアップからの光出力を計測する光出力計測装置であって、
ディスクに対して光を照射する機能を有するピックアップと、
与えられる駆動信号に応じた透過率によって前記ピックアップからの光を減衰させる液晶フィルタと、
前記液晶フィルタを通過した前記ピックアップからの光出力を受ける光センサと、
前記ピックアップの光出力の強度および波長と、前記光センサの波長感度特性とに応じて、前記液晶フィルタの透過率を制御する駆動信号を生成し、前記液晶フィルタの透過率を可変に制御する制御手段と、
を備えたことを特徴とする光出力計測装置。
【請求項２】
前記制御手段は、パルス制御による駆動信号を生成し、前記液晶フィルタの透過率を制御する、
ことを特徴とする請求項１記載の光出力計測装置。
【請求項３】
前記制御手段は、周波数可変のパルス制御による駆動信号を生成し、前記液晶フィルタの透過率を制御する、
ことを特徴とする請求項１記載の光出力計測装置。
【請求項４】
前記制御手段は、周波数可変とデューティー比可変との組み合わせによるパルス制御による駆動信号を生成し、前記液晶フィルタの透過率を制御する、
ことを特徴とする請求項１記載の光出力計測装置。
【請求項５】
前記制御手段は、前記光センサの受光出力が一定となるように、前記液晶フィルタの透過率の制御を行い、該透過率の変化から前記ピックアップの光出力の強度を算出する、
ことを特徴とする請求項１乃至請求項３のいずれかに記載の光出力計測装置。
【発明の詳細な説明】
【技術分野】
【０００１】
本発明はＣＤ、ＤＶＤ、ＭＤ、ＭＯディスクなどを記録媒体として用いる光ディスク装置のピックアップの光出力を計測する光出力計測装置に関する。
【背景技術】
【０００２】
ＣＤ、ＤＶＤ、ＭＤ、ＭＯディスクなどの光ディスクを記録媒体として用いる光ディスク装置では、再生時には光ディスクに記録された情報を読み取るため、記録時には光ディスクに情報を記録するため、ピックアップに内蔵された光源から光を照射する。
【０００３】
ここで、再生時には光ディスクから十分な反射光が得られるような強度の光をピックアップから照射する必要がある。また、記録時には光ディスクの記録面で変化が生じるのに必要な強度の光をピックアップから照射する必要がある。
【０００４】
このため、ピックアップから適切な強度の光が出力されているかを、専用の計測装置を用いて測定する必要がある。
このようなピックアップからの光の強度を測定する場合、計測装置のセンサが飽和しないように、すなわち、受光許容レベルを超過しないように調整する必要がある。このような調整として、センサの前面にＮＤフィルタなどを配置して、センサに到達する光量を減衰させる手法が一般的に用いられている。
【０００５】
なお、このようにＮＤフィルタは固定的な減衰率の制御となるため、必要な透過率に応じて、透過率の異なる複数のＮＤフィルタを予め用意し、計測時に所望の透過率のＮＤフィルタに交換する必要がある。
【０００６】
このように複数のＮＤフィルタを交換しつつピックアップの計測を行う手法が、各社で実際に行われている。
なお、このようにＮＤフィルタとピックアップとを組み合わせて用いる計測手法が、計測の目的は異なるものの、以下の特許文献に記載されている。
【特許文献１】特開平９−１５３２５２号公報（第１頁、図１）
【発明の開示】
【発明が解決しようとする課題】
【０００７】
近年、ＣＤやＤＶＤを扱う装置では、記録速度の高速化に合わせて、光源のパワーも高出力となってきている。このため、そのようなピックアップの光強度に対して、計測装置の受光センサの許容受光レベルが追いついていない状況である。
【０００８】
図８は、その一例としてＣＤ/ＤＶＤ用ピックアップのＣＤ波長７８０ｎｍのレーザーパワー測定を行った際の、ピックアップからの光出力強度（ＬＤパワー）を横軸にとり、センサ電圧を縦軸にとった様子を示す特性図である。
【０００９】
この特性図では、ＬＤパワーが約１００ｍＷ付近を超えた領域から、センサ出力がＬＤパワーにリニアに対応しなくなり、直線性が悪化してきている。この対策として、一般的には、光の透過率を下げ、センサ側での受光パワーを小さくして、飽和する前の直線部分を使用する。その手段として通常、センサの受光感度に合わせて、研磨加工したＮＤフィルタを受光センサの前に設置して透過率を下げる。これにより図８のフィルタ付き電圧のグラフが示すように、約２倍の２００ｍＷ付近のＬＤパワーまで測定できるようになる。
【００１０】
但し、この方法では、研磨加工を施して所望の透過率になるような厚みに作製したＮＤフィルタが必要になる。このような作製のために、予め用意されている規格品より納期が２倍以上要する状態になり、計測装置の納期遅延やコストアップの要因となっている。
【００１１】
また、図９のグラフで示すように、波長が短くなるＤＶＤ等のＬＤパワーを計測する場合、センサの感度が低くなる。このように、ＤＶＤ用のＬＤパワー測定の場合では、ＮＤフィルタを外して測定しないと分解能力が低下することになるため、ＣＤ／ＤＶＤ共通のピックアップの場合では、計測の途中でＮＤフィルタを付けたり外してする必要が生じる。
【００１２】
また、ピックアップの種類や、試験条件により出力が異なるため、透過率の異なるＮＤフィルタを数種類準備して、測定条件に合わせてその着脱作業を行う必要があり、自動
計測の障害となっている。
【００１３】
本発明は、光ディスクを記録媒体として用いる光ディスク装置用のピックアップの光出力を、光センサのダイナミックレンジによる制約に影響されずに、直線性の良い領域を用いて精度良く計測することが可能な光出力計測装置を実現することを目的とする。
【課題を解決するための手段】
【００１４】
上述した不具合を解決する手段としての本発明は、以下の（１）〜（５）に述べるようなものである。
（１）請求項１記載の発明は、光ディスク装置のピックアップからの光出力を計測する光出力計測装置であって、ディスクに対して光を照射する機能を有するピックアップと、与えられる駆動信号に応じた透過率によって前記ピックアップからの光を減衰させる液晶フィルタと、前記液晶フィルタを通過した前記ピックアップからの光出力を受ける光センサと、前記ピックアップの光出力の強度および波長と、前記光センサの波長感度特性とに応じて、前記液晶フィルタの透過率を制御する駆動信号を生成し、前記液晶フィルタの透過率を可変に制御する制御手段と、を備えたことを特徴とする光出力計測装置である。
【００１５】
この発明では、光ディスク装置のピックアップからの光出力を計測する際に、ピックアップの光出力の強度および波長と、光センサの波長感度特性とに応じて、液晶フィルタの透過率を制御する駆動信号を制御手段が生成しており、このように制御された液晶フィルタを通過したピックアップからの光出力を光センサで受ける。
【００１６】
（２）請求項２記載の発明は、前記制御手段は、パルス制御による駆動信号を生成し、前記液晶フィルタの透過率を制御する、ことを特徴とする請求項１記載の光出力計測装置である。
【００１７】
この発明では、光ディスク装置のピックアップからの光出力を計測する際に、ピックアップの光出力の強度および波長と、光センサの波長感度特性とに応じて、液晶フィルタの透過率を制御するパルス制御による駆動信号を制御手段が生成しており、このようにパルス制御された液晶フィルタを通過したピックアップからの光出力を光センサで受ける。
【００１８】
（３）請求項３記載の発明は、前記制御手段は、周波数可変のパルス制御による駆動信号を生成し、前記液晶フィルタの透過率を制御する、ことを特徴とする請求項１記載の光出力計測装置である。
【００１９】
この発明では、光ディスク装置のピックアップからの光出力を計測する際に、ピックアップの光出力の強度および波長と、光センサの波長感度特性とに応じて、液晶フィルタの透過率を制御する周波数可変のパルス制御による駆動信号を制御手段が生成しており、このように周波数可変のパルス制御された液晶フィルタを通過したピックアップからの光出力を光センサで受ける。
【００２０】
（４）請求項４記載の発明は、前記制御手段は、周波数可変とデューティー比可変との組み合わせによるパルス制御による駆動信号を生成し、前記液晶フィルタの透過率を制御する、ことを特徴とする請求項１記載の光出力計測装置である。
【００２１】
この発明では、光ディスク装置のピックアップからの光出力を計測する際に、ピックアップの光出力の強度および波長と、光センサの波長感度特性とに応じて、液晶フィルタの透過率を制御するデューティー比可変かつ周波数可変のパルス制御による駆動信号を制御手段が生成しており、このようにデューティー比可変かつ周波数可変のパルス制御された液晶フィルタを通過したピックアップからの光出力を光センサで受ける。
【００２２】
（５）請求項４記載の発明は、前記制御手段は、前記光センサの受光出力が一定となるように、前記液晶フィルタの透過率の制御を行い、該透過率の変化から前記ピックアップの光出力の強度を算出する、ことを特徴とする請求項１乃至請求項３のいずれかに記載の光出力計測装置である。
【００２３】
この発明では、光ディスク装置のピックアップからの光出力を計測する際に、ピックアップの光出力の強度および波長と、光センサの波長感度特性とに応じて、液晶フィルタの透過率を制御する駆動信号を制御手段が生成しており、さらに、光センサの受光出力が一定となるように液晶フィルタの透過率の制御を行い、このように制御された液晶フィルタを通過したピックアップからの光出力を光センサで受け、該透過率の変化から前記ピックアップの光出力の強度を算出する。
【発明の効果】
【００２４】
本発明によると以下の（１）〜（５）に示すような効果が得られる。
（１）請求項１記載の光出力計測装置の発明では、光ディスク装置のピックアップからの光出力を計測する際に、ピックアップの光出力の強度および波長と、光センサの波長感度特性とに応じて、液晶フィルタの透過率を制御する駆動信号を制御手段が生成しており、このように制御された液晶フィルタを通過したピックアップからの光出力を光センサで受ける。
【００２５】
これにより、透過率が制御された液晶フィルタを通過したピックアップからの光出力は、光センサのダイナミックレンジの範囲内に収まる状態で計測される。この結果、光ディスクを記録媒体として用いる光ディスク装置用のピックアップの光出力を、光センサのダイナミックレンジや波長感度特性による制約に影響されずに、直線性の良い領域を用いて精度良く計測することが可能になる。
【００２６】
（２）請求項２記載の光出力計測装置の発明では、光ディスク装置のピックアップからの光出力を計測する際に、ピックアップの光出力の強度および波長と、光センサの波長感度特性とに応じて、液晶フィルタの透過率を制御するパルス制御による駆動信号を制御手段が生成しており、このようにパルス制御された液晶フィルタを通過したピックアップからの光出力を光センサで受ける。
【００２７】
これにより、透過率がパルス制御された液晶フィルタを通過したピックアップからの光出力は、光センサのダイナミックレンジの範囲内に収まる状態で計測される。この結果、光ディスクを記録媒体として用いる光ディスク装置用のピックアップの光出力を、光センサのダイナミックレンジや波長感度特性による制約に影響されずに、直線性の良い領域を用いて精度良く計測することが可能になる。
【００２８】
（３）請求項３記載の光出力計測装置の発明では、光ディスク装置のピックアップからの光出力を計測する際に、ピックアップの光出力の強度および波長と、光センサの波長感度特性とに応じて、液晶フィルタの透過率を制御する周波数可変のパルス制御による駆動信号を制御手段が生成しており、このように周波数可変のパルス制御された液晶フィルタを通過したピックアップからの光出力を光センサで受ける。
【００２９】
これにより、周波数可変のパルスにより透過率が制御された液晶フィルタを通過したピックアップからの光出力は、光センサのダイナミックレンジの範囲内に収まる状態で計測される。この結果、光ディスクを記録媒体として用いる光ディスク装置用のピックアップの光出力を、光センサのダイナミックレンジや波長感度特性による制約に影響されずに、直線性の良い領域を用いて精度良く計測することが可能になる。
【００３０】
（４）請求項４記載の光出力計測装置の発明では、光ディスク装置のピックアップからの光出力を計測する際に、ピックアップの光出力の強度および波長と、光センサの波長感度特性とに応じて、液晶フィルタの透過率を制御するデューティー比可変かつ周波数可変のパルス制御による駆動信号を制御手段が生成しており、このようにデューティー比可変かつ周波数可変のパルス制御された液晶フィルタを通過したピックアップからの光出力を光センサで受ける。
【００３１】
これにより、デューティー比可変かつ周波数可変のパルスにより透過率が制御された液晶フィルタを通過したピックアップからの光出力は、光センサのダイナミックレンジの範囲内に収まる状態で計測される。この結果、光ディスクを記録媒体として用いる光ディスク装置用のピックアップの光出力を、光センサのダイナミックレンジや波長感度特性による制約に影響されずに、直線性の良い領域を用いて精度良く計測することが可能になる。
【００３２】
（５）請求項４記載の光出力計測装置の発明では、光ディスク装置のピックアップからの光出力を計測する際に、ピックアップの光出力の強度および波長と、光センサの波長感度特性とに応じて、液晶フィルタの透過率を制御する駆動信号を制御手段が生成しており、さらに、光センサの受光出力が一定となるように液晶フィルタの透過率の制御を行い、このように制御された液晶フィルタを通過したピックアップからの光出力を光センサで受け、該透過率の変化から前記ピックアップの光出力の強度を算出する。
【００３３】
これにより、透過率が制御された液晶フィルタを通過したピックアップからの光出力は、光センサのダイナミックレンジの範囲内に収まる状態で計測される。この結果、光ディスクを記録媒体として用いる光ディスク装置用のピックアップの光出力を、光センサのダイナミックレンジや波長感度特性による制約に影響されずに、直線性の良い領域を用いて精度良く計測することが可能になる。また、光センサのＳＮ比の最も良い領域を使用し続けることが可能になり、測定結果の信頼性が向上する。
【発明を実施するための最良の形態】
【００３４】
以下に、図面を参照して本発明を実施するための最良の形態（実施形態）を詳細に説明する。
図１は本実施形態の光出力計測装置１００の各機能毎の手段について機能ブロックを示すブロック図である。
【００３５】
この図１において、１０１は光出力計測装置１００の各部を制御するＣＰＵなどで構成された制御手段としての制御部である。
この制御部１０１は、制御プログラムと共に各種制御を実行するものであり、ピックアップの光出力の強度および波長と、光センサの波長感度特性とに応じて、液晶フィルタの透過率を制御する駆動信号を生成し、液晶フィルタの透過率を可変に制御する。
【００３６】
１１０は後述する液晶フィルタを通過したピックアップからの光出力を受ける光センサである。この光センサ１１０としては、光電変換を行う各種センサを用いることが可能である。
【００３７】
１２０は光センサ１１０の検出結果である電流信号を電圧信号に変換するＩ／Ｖ変換部、１３０はＩ／Ｖ変換部１２０からのアナログの電圧信号をＡ−Ｄ変換してディジタルデータとするＡ−Ｄ変換部である。１４０は光ディスク装置のピックアップからの光出力を計測するための計測演算を行う演算部である。
【００３８】
１５０は液晶フィルタの透過率を制御する駆動信号の元になるパルス信号を生成する信号発生部、１６０は信号発生部１５０からのパルス信号を受けて液晶フィルタ駆動に必要な振幅や電圧の駆動信号を生成する駆動部である。
【００３９】
ここで、信号発生部１５０では矩形波を出力できるようにしておき、液晶フィルタ１７０の駆動周波数とデューティー比を可変できるようにする。また、駆動部１６０では、Ｃ−ＭＯＳのインバータＩＣで構成する回路を採用し、信号発生部１５０からの矩形波のパルスを、液晶の特性に合わせて＋５Ｖで出力できるようにした。
【００４０】
１７０は駆動部１６０からの駆動信号を受けて透過率が可変に制御され、与えられる駆動信号に応じた透過率によってピックアップからの光を減衰させて光センサ１１０に導く液晶フィルタである。
【００４１】
この液晶フィルタ１７０としては、一般的な各種液晶パネルを用いることができる。この液晶フィルタ１７０の構造は、たとえば、図２に示すように、偏光面異なる２枚の偏光フィルタの間に液晶物質が充填されており、この液晶物質の偏光状態によって、
図２（ａ）のような透過、図２（ｂ）のような非透過の制御がなされる。また、中間の電圧を加えることや、透過／非透過を時分割制御することなどによって、中間の透過率を実現することができる。
【００４２】
そして、液晶フィルタ１７０としては、図３(a)のような平面図に示され、図３(b)のような断面図に示される形状のものが、光センサ１１０の入射面などに配置されている。ここでは、第一ITO電極１７１０と、第二ITO電極１７２０とを有し、ＴＮ液晶１７３０内に、サイズ１０mm×１０mm程度のITO膜１７４０が配置されている。また、断面は、板厚０．７mmの２枚の部材を有し、合計１．４mm程度である。
【００４３】
２００は光出力計測装置１００の計測対象である光ディスク装置である。２１０は光ディスク装置２００においてディスクに対して光を照射する機能を有するピックアップ、２２０はピックアップ２１０を駆動するピックアップ駆動部である。なお、光ディスク装置２００において、他の既知の構成要件については省略している。
【００４４】
以下、本実施形態の光出力計測装置１００の動作について説明を行う。
この光出力計測装置１００の実施形態では、光ディスク装置２００のピックアップ２１０からの光出力を計測する際に、ピックアップ２１０の光出力の強度および波長（図９参照）と、光センサの波長感度特性（図９参照）とに応じて、液晶フィルタ１７０の透過率を制御する駆動信号を制御部１０１の指示に基づいて信号発生部１５０と駆動部１６０とが生成している。
【００４５】
ここで、従来は複数のＮＤフィルタを用いていたのであれば、各ＮＤフィルタの透過率と同じ透過率となるように、制御部１０１の指示により液晶フィルタ１７０の透過率を制御する。そして、このように制御された液晶フィルタ１７０を通過したピックアップ２１０からの光出力を光センサ１１０で受け、演算部１４０が計測演算を行ってピックアップ２１０の光出力を求める。求められた光出力は制御部１０１に送られ、図示されない表示部や外部記録装置などに出力される。
【００４６】
以上の動作において、ピックアップ２１０からの光出力を計測する際に、ピックアップ２１０の光出力の強度および波長と、光センサ１１０の波長感度特性とに応じて、液晶フィルタ１７０の透過率を制御する駆動信号を制御部１０１が生成している。
【００４７】
なお、この実施形態では、制御部１０１の指示により液晶フィルタ１７０の透過率を細かく設定することが可能であるため、従来のＮＤフィルタを用いていた場合よりも細かく透過率を可変にすることも可能である。このようにして、透過率が制御された液晶フィルタ１７０を通過したピックアップ２１０からの光出力は、光センサ１１０のダイナミックレンジの範囲内に収まる状態で計測される。この結果、光ディスクを記録媒体として用いる光ディスク装置２００用のピックアップ２１０の光出力を、光センサ１１０のダイナミックレンジや波長感度特性による制約に影響されずに、直線性の良い領域を用いて精度良く計測することが可能になる。
【００４８】
また、これにより、透過率の異なる複数のＮＤフィルタを準備するための費用を削減でき、さらに、複数のＮＤフィルタの交換作業を無くして、自動化処理にも対応できるようになる。
【００４９】
図４は、ＣＤを記録媒体とした波長７８０ｎｍのレーザ光を発するピックアップにおいて、信号発生部１５０と駆動部１６０とによる液晶フィルタ駆動信号の周波数に対する透過率の変化を示す特性図である。
【００５０】
この図４に結果を示すように、１００Ｈｚ付近で透過率が最低になり、４０ｋＨ付近で透過率が最大となる。なお、１０Ｈｚ以下では液晶フィルタ１７０で点滅状態が生じるため望ましくない。
【００５１】
なお、図５に示したように、２枚の偏光板を使用した液晶フィルタ１７０では、透過率４０％が最も明るい状態である。ただし、液晶プロジェクタ用の液晶板を使用することで、透過率を５０％程度に向上させることは可能である。
【００５２】
この特性図から解るように、駆動信号として１００Ｈｚ〜４０ｋＨｚの周波数を可変することで、液晶フィルタ１７０での透過率を制御部１０１からの指示に基づいて０．１％ステップで、２０％〜４０％と広い範囲で制御することも可能である。
【００５３】
この場合、透過率の制御の範囲は２０％〜４０％で、２０％の可変レンジがある。これは、光センサ１１０の許容感度を２.５〜５倍へ、可変レンジで引き上げることを意味している。なお、液晶プロジェクタ用の液晶板を用いて透過率を５０％とした場合には、透過率の制御の範囲は２０％〜５０％で、光センサ１１０の許容感度を２.０〜５倍へ、可変レンジで引き上げることを意味している。
【００５４】
なお、以上の透過率の制御は、液晶フィルタ１７０の駆動信号のデューティー比を可変しても可能である。
図５は、ＣＤを記録媒体とした波長７８０ｎｍのレーザ光を発するピックアップにおいて、信号発生部１５０と駆動部１６０とによる液晶フィルタ駆動信号の、デューティー比に対する透過率の変化を示す特性図である。この結果、透過率の可変範囲が２０〜３０％程度と、周波数可変（図４）と比較すると狭く、周波数可変の半分しか無い。
【００５５】
なお、ここでは、周波数を５０Ｈｚとした場合のデューティー比の値を横軸にとって特性を示しているが、他の周波数であっても同様な特性が得られる。
よって、液晶フィルタ１７０の透過率の制御に関しては、矩形波のパルスを用いて、周波数制御とするか、あるいは、周波数制御とデューティー比制御との組み合わせにすることが望ましい。
【００５６】
以上のように、透過率がパルス制御、望ましくは周波数可変のパルス制御された液晶フィルタを通過したピックアップからの光出力は、光センサのダイナミックレンジの範囲内に収まる状態で計測される。この結果、光ディスクを記録媒体として用いる光ディスク装置用のピックアップの光出力を、光センサのダイナミックレンジや波長感度特性による制約に影響されずに、直線性の良い領域を用いて精度良く計測することが可能になる。
【００５７】
図６は、ＤＶＤを記録媒体とした波長６５０ｎｍのレーザ光を発するピックアップにおいて、信号発生部１５０と駆動部１６０とによる液晶フィルタ駆動信号の周波数に対する透過率の変化を示す特性図である。
【００５８】
この図６に結果を示すように、１００Ｈｚ付近で透過率が最低になり、４０ｋＨ付近で透過率が最大となる。なお、１０Ｈｚ以下では液晶フィルタ１７０で点滅状態が生じるため望ましくない。
【００５９】
この特性図から解るように、駆動信号として１００Ｈｚ〜４０ｋＨｚの周波数を可変することで、液晶フィルタ１７０での透過率を制御部１０１からの指示に基づいて０．１％ステップで、２０％〜４０％と広い範囲で制御することも可能である。
【００６０】
なお、図４のＣＤの場合の波長７８０ｎｍと比較すると、ＤＶＤの６５０ｎｍでは透過率が全体的に小さく、波長依存性があるが、計測上は補正して換算するため問題を生じることはない。
【００６１】
この場合、透過率の制御の範囲は１４％〜３０％で、約１６０％の可変レンジがある。これは、光センサ１１０の許容感度を３〜７倍へ、可変レンジで引き上げることを意味している。
【００６２】
なお、以上のＤＶＤの場合の６５０ｎｍでの透過率の制御は、液晶フィルタ１７０の駆動信号のデューティー比を可変しても可能である。
図７は、ＤＶＤを記録媒体とした波長６５０ｎｍのレーザ光を発するピックアップにおいて、信号発生部１５０と駆動部１６０とによる液晶フィルタ駆動信号の、デューティー比に対する透過率の変化を示す特性図である。この結果、透過率の可変範囲が１４〜２４％程度と、周波数可変（図６）と比較すると狭く、周波数可変の半分しか無い。
【００６３】
なお、ここでは、周波数を５０Ｈｚとした場合のデューティー比の値を横軸にとって特性を示しているが、他の周波数であっても同様な特性が得られる。
よって、液晶フィルタ１７０の透過率の制御に関しては、矩形波のパルスを用いて、周波数制御とするか、あるいは、周波数制御とデューティー比制御との組み合わせにすることが望ましい。
【００６４】
以上のように、透過率がパルス制御、望ましくは周波数可変のパルス制御された液晶フィルタを通過したピックアップからの光出力は、光センサのダイナミックレンジの範囲内に収まる状態で計測される。この結果、光ディスクを記録媒体として用いる光ディスク装置用のピックアップの光出力を、光センサのダイナミックレンジや波長感度特性による制約に影響されずに、直線性の良い領域を用いて精度良く計測することが可能になる。
【００６５】
なお、以上の実施形態において、以下の（１）と（２）の二種類の透過率の制御を伴う計測が可能である。
（１）液晶フィルタ１７０での透過率は、光センサ１１０でのダイナミックレンジやピックアップ２１０の光出力の強度などに応じて、制御部１０１が段階的にレンジ切り換えのように制御する。
【００６６】
この場合、従来の複数のＮＤフィルタの交換と同様に、液晶フィルタ１７０の透過率を切り換える。この場合、ＮＤフィルタ交換の費用や手間が省け、コスト削減と自動処理とが可能になる。
（２）液晶フィルタ１７０での透過率は、光センサ１１０での受光出力が一定となるように液晶フィルタ１７０の透過率の制御を行い、このように制御された液晶フィルタ１７０を通過したピックアップ２１０からの光出力を光センサ１１０で受け、該透過率の変化からピックアップ２１０の光出力の強度を算出する。
【００６７】
この場合、ＮＤフィルタ交換の費用や手間が省け、コスト削減と自動処理とが可能になるだけではなく、光センサ１１０のＳＮ比の最も良い領域を用いた測定が可能になり、信頼性が向上する。
【図面の簡単な説明】
【００６８】
【図１】本発明の実施形態である光出力計測装置の電気的構成を機能ブロックとして示すブロック図である。
【図２】本発明の実施形態である光出力計測装置の主要部の動作原理を示す原理説明図である。
【図３】本発明の実施形態である光出力計測装置の主要部の構成を示す構成図である。
【図４】本発明の実施形態である光出力計測装置の計測の際の特性を示す特性図である。
【図５】本発明の実施形態である光出力計測装置の計測の際の特性を示す特性図である。
【図６】本発明の実施形態である光出力計測装置の計測の際の特性を示す特性図である。
【図７】本発明の実施形態である光出力計測装置の計測の際の特性を示す特性図である。
【図８】従来の光出力計測装置の計測の際の特性を示す特性図である。
【図９】光出力計測装置の計測の際の特性を示す特性図である。
【符号の説明】
【００６９】
１００  光出力計測装置
１０１  制御部
１１０  光センサ
１４０  演算部
１５０  信号発生部
１６０  駆動部
２００  ドライブ
２１０  ピックアップ
２２０  ピックアップ駆動部
【図１】
2006309886.tif 000003
【図２】
2006309886.tif 000004
【図３】
2006309886.tif 000005
【図４】
2006309886.tif 000006
【図５】
2006309886.tif 000007
【図６】
2006309886.tif 000008
【図７】
2006309886.tif 000009
【図８】
2006309886.tif 000010
【図９】
2006309886.tif 000011